(57)【特許請求の範囲】
【請求項１】
ミシンに取り付けられる針板において、所定の縫い代を含めて予め裁断された形状のパッチワ−クピ−スに対応して針板上の所定の位置に針落ち点を基準とし、縫い代を含めた布の位置決めを行うための複数のパッチワークピース基準線をそれぞれ設けると共に、該複数の基準線は前記パッチワ−クピ−スの一側部を合わせることで、位置決めしてパッチワ−クピ−スの縫い方向を規定するための線（５）と、前記パッチワ−クピ−スの一端を合わせることで、位置決めして該パッチワ−クピ−スの縫い開始点を決定するための基準線（３）と、縫製時に前記パッチワ−クピ−スの別の端部が一致したときに該パッチワ−クピ−スの縫い終了位置を知らせるための基準線（４）と、を設けたことを特徴とするパッチワ−ク用針板。
【請求項２】
前記パッチワークピースの基準線（３）は、複数種類のパッチワーク形状に対応する複数の角度を示す基準線が設けられることで、位置決めすることで該複数種類のパッチワ−クピ−スに対しての縫い開始点を決定するように対応していることを特徴とする請求項１に記載のパッチワ−ク用針板。
【発明の詳細な説明】
【０００１】
【産業上の利用分野】
本発明は、パッチワークをミシンで行う場合における、ミシンの針板の構造に関するものである。
【０００２】
【従来の技術】
従来、パッチワークは手縫いやミシン等で小さな布のピースを縫いつないでバッグやクッション等大きな作品を製作するもので、近年盛んに行われるようになってきている。
【０００３】
【発明が解決しようとする課題】
しかしながら、ミシンによるパッチワークの縫製作業では、その１枚１枚のピースを重ねて縫い合わせるために、縫い合わせる布の縫い始め位置ならびに縫い終了位置に１枚づつマーキングを行い、縫う作業を行なわなければならず、多大な時間を要するという問題があった。
【０００４】
そのマーキングの作業もピースの枚数が多いため、極めて面倒なものであり、また、パッチワークのピース形状は、四角形だけではなく三角形や菱形等のものも多くあることから、まとめてマーキングを行うことはできず、その作業は時間のかかるものであるという問題があった。
【０００５】
また、これらのマーキング作業を正確に行なわないと、完成した作品の模様にずれが発生し、綺麗な作品にならないため、その作業は１枚１枚丁寧にマーキングをしなければならないという問題があった。
本発明は、上記した問題点を解決することを目的とするもので、ミシンを使用して行うパッチワークピース用のマーク付けを必要としない針板を提供することを目的とする。
【０００６】
【課題を解決するための手段】
すなわち、本発明は、ミシンに取り付けられる針板において、所定の縫い代を含めて予め裁断された形状のパッチワ−クピ−スに対応して針板上の所定の位置に針落ち点を基準とし、縫い代を含めた布の位置決めを行うための複数のパッチワークピース基準線をそれぞれ設けると共に、該複数の基準線は前記パッチワ−クピ−スの一側部を合わせることで、位置決めしてパッチワ−クピ−スの縫い方向を規定するための線（５）と、前記パッチワ−クピ−スの一端を合わせることで、位置決めして該パッチワ−クピ−スの縫い開始点を決定するための基準線（３）と、縫製時に前記パッチワ−クピ−スの別の端部が一致したときに該パッチワ−クピ−スの縫い終了位置を知らせるための基準線（４）と、を設けたことにより課題を解決した。
また、前記パッチワークピースの基準線（３）は、複数種類のパッチワーク形状に対応する複数の角度を示す基準線が設けられることで、位置決めすることで該複数種類のパッチワ−クピ−スに対しての縫い開始点を決定するように対応することにより課題を解決した。
【０００７】
【実施例】
以下本発明の実施例を図面に基づいて説明する。
図６は、パッチワークの種類を示したものである。その種類には、チェッカーボード、オーシャンウェーブ、レモンスター、おばあゃんの花園、タンブリングなどがあり、それらのピースの形状は、正方形、三角形、菱形、六角形により構成されている。
【０００８】
図１は、本発明の針板を取り付けた状態を示すミシンの外観図であり、Ａはミシン本体を示すものである。本発明は、通常の針板と同様にミシン本体に取り付けられるものであり、別のミシンにも簡単に取り付けることが可能である。
【０００９】
図２は、本発明の構成を示す平面図である。
針板の左側に示される基準線は、針落ち点１を基準にして、約７ｍｍのピースの縫い代をとったピース基準位置２より求めたものである。
基準線３は、前記ピース基準位置２より４５度、６０度、９０度および１２０度の角度にパッチワークのピースを合わせるための、けがき線やペイント等の目印を記している。
【００１０】
４５の角度線は、パッチワークにおけるレモンスター（菱形）のピースに対応したものであり、この線にピースの一端を合わせると、自動的に７ｍｍの縫い代を設定したように針落ちが決定される。
６０の角度線は、ベビーブロックスに対応した線であり、９０の角度線は、チェッカーボードやログキャビンに対応したものである。
１２０の角度線は、お婆ちゃんの花園や６角つなぎ等に対応したものである。
【００１１】
これらは、レモンスター同様に、それぞれの目印の位置に対応するピースを合わせると、自動的に縫い代を含めた、縫製位置に布は導かれることになる。
また、これらピースの形状が多岐にわたる場合でも、それぞれのピースに対し、それぞれの形状にあった位置での縫い合わせが、マーキングをしなくとも簡単に縫製が行えるものである。
【００１２】
基準線４は、ピースの縫い終了位置を示すための目印である。
基準線５は、ピースの縫いが、曲がったり、ずれたりしないための側部の布位置を示す基準線である。
【００１３】
レモンスターでその作業を説明すると、まず作業者は、菱形の出来上り寸法に縫い代を加えた幅の帯状に布を裁つ。
３、４枚重ね、カッティングマットのます目に合わせて置き、布の長い辺に対して４５度の角度に定規をあてて裁断する。
裁断した線に平行に布幅と同じ寸法分、定規を移動させ、菱形を裁断する。
ここで作業者は、自分が所望する図形になるかチェックする。
【００１４】
従来は、ここで三角形では直角の角、菱形は角度の大きい角、正方形は１つの角の裏側の出来上りの位置に、マーキングペンで印を付けていたが、本装置を使用することにより、この作業は必要なくなる。
【００１５】
次にミシンでの縫い合わせ作業となる。
ここでは、２枚の菱形を表面を重ね、図３で示すように、ミシンの針板の数字４５の位置にピースをのせる。
この位置にのせることにより、ピースの縫い始め位置８にピースが設定される。  これにより作業者は、縫い代を求めることなく、縫製することができる。
【００１６】
図４において、７は縫われた状態を示し、９は縫い終了位置を示すものである。  作業者は、縫い終了位置を示す基準線４に、縫製中のピースの端部が来たときに、ミシンを停止させることにより、縫い代分を含めた縫い終了位置９で、正確に縫製を完了することができる。
【００１７】
このように、針板左側に縫い始め位置を示した角度線を示すことにより、各ピースの左上部の辺を合わせれば、針落ち位置つまり縫い始め位置を知ることができ、同時に針板の略中央部の位置に、布合わせのための基準線を目印に縫製をすることにより、まっすぐに縫うことが可能となった。
【００１８】
また、布の縫い始め位置だけでなく、縫い終了位置を示すことにより、作業者は、ピースにマーキングを全くすることなく、効率の良いピースブロック作りが可能となる。
本実施例では、縫い終了位置は、図２の４で示すようにＬ字を横にしたようになっている。
終了位置基準線４は、その位置を知らせるためのものであることから、点ではなく線し、下から上へ伸びる縫い線上の線とピースの終了位置を示す横の線とにより構成されている。
【００１９】
これら針板の基準線は、塗料等により色分けを行うことにより、作業者が容易に基準線の区別できる。
そのため、線の種類による間違えを防止することができる。
また、針板だけでなく、角板にも同様の目印をすることにより、布の縫製位置合わせは容易に行うこともできる。
【００１９】
【発明の効果】
本発明は、以上のような構成および作用のものであり、低価格でしかも使い易いパッチワークのための針板を供給するものである。
これにより、初心者でも簡単にパッチワーク作業が行え、また間違えのない作品作りが行えるものである。
【図面の簡単な説明】
【図１】本発明を備えたミシンの外観図
【図２】本発明の実施例の平面図
【図３】本発明を使用し、菱形ピースの縫製開始を示した平面図
【図４】本発明を使用し、菱形ピースの縫製終了を示した平面図
【図５】縫製後の菱形ピースを開いた状態を示す平面図
【図６】パッチワークの種類を示した図
【符号の簡単な説明】
１      実際の針落ち点
２            縫い代を含めた縫い位置基準点
３          ピースの布位置を設定するための基準線
４            ピースの縫い終了位置を示す基準点
５            ピースの側面の基準を示す基準線
６            菱形ピース
８      縫い始め位置
９      縫い終了位置
【図１】
0003569325.tif 000002
【図２】
0003569325.tif 000003
【図３】
0003569325.tif 000004
【図４】
0003569325.tif 000005
【図５】
0003569325.tif 000006
【図６】
0003569325.tif 000007